(57)【要約】【課題】選択されたチャンネルがディジタル放送であっても、アナログ放送であっても、任意のクローズドキャプションを容易に選択することができるディジタル放送／アナログ放送受信装置を提供する。【解決手段】ディジタルデコーダ３は、入力されたディジタル放送信号をデコードし、複数のキャプションサービスデータＣＳＤ１〜ＣＳＤ６をＣＰＵ１に出力する。ＣＰＵ１はＣＳＤ１〜６のうち２つを選択し、字幕変換して、クローズドキャプションデータに変換する。２つのクローズドキャプションデータはクローズドキャプションＣＣ１，ＣＣ３のそれぞれに割り当てられ、ディジタル放送／アナログ放送受信装置１０から表示装置３０に出力される。【選択図】　図２
2004080676.tif 000002
【特許請求の範囲】
【請求項１】
ディジタル放送信号とアナログ放送信号とをそれぞれ受信し、選択されたチャンネルがディジタル放送信号であれば、アナログ方式の映像信号に変換するとともに、前記ディジタル放送信号からキャプションサービスデータを抽出し、クローズドキャプションに変換して前記映像信号に多重化し、該映像信号を出力するディジタル放送／アナログ放送受信装置において、
出力し得るクローズドキャプションの数に応じて、複数の前記キャプションサービスデータを抽出して変換し、複数のクローズドキャプションに設定する制御手段を備え、
該制御手段は、クローズドキャプションが配信されているキャプションサービスデータのみを抽出し、該キャプションサービスデータを変換して自動的にいずれかのクローズドキャプションに設定するか、
または、第１のキャプションサービスデータと、第２のキャプションサービスデータとをそれぞれクローズドキャプションに変換し、前記第１のキャプションサービスデータを変換して得られるクローズドキャプションを前記映像信号の奇数フィールドに多重化される第１、第２のクローズドキャプションのいずれか、好ましくは第１のクローズドキャプションに設定するとともに、前記第２のキャプションサービスデータを変換して得られるクローズドキャプションを前記映像信号の偶数フィールドに多重化される第３、第４のクローズドキャプションのいずれか、好ましくは第３のクローズドキャプションに設定することを特徴とするディジタル放送／アナログ放送受信装置。
【請求項２】
ディジタル放送信号とアナログ放送信号とをそれぞれ受信し、選択されたチャンネルがディジタル放送信号であれば、アナログ方式の映像信号に変換するとともに、前記ディジタル放送信号からキャプションサービスデータを抽出し、クローズドキャプションに変換して前記映像信号に多重化し、該映像信号を出力するディジタル放送／アナログ放送受信装置において、
出力し得るクローズドキャプションの数に応じて、複数の前記キャプションサービスデータを抽出して変換し、複数のクローズドキャプションに設定する制御手段を備えたことを特徴とするディジタル放送／アナログ放送受信装置。
【請求項３】
前記制御手段は、クローズドキャプションが配信されているキャプションサービスデータのみを抽出し、該キャプションサービスデータを変換して自動的にいずれかのクローズドキャプションに設定する請求項２に記載のディジタル放送／アナログ放送受信装置。
【請求項４】
前記制御手段は、第１のキャプションサービスデータと、第２のキャプションサービスデータとをそれぞれクローズドキャプションに変換し、
前記第１のキャプションサービスデータを変換して得られるクローズドキャプションを前記映像信号の奇数フィールドに多重化される第１、第２のクローズドキャプションのいずれかに設定するとともに、
前記第２のキャプションサービスデータを変換して得られるクローズドキャプションを前記映像信号の偶数フィールドに多重化される第３、第４のクローズドキャプションのいずれかに設定する請求項２に記載のディジタル放送／アナログ放送受信装置。
【請求項５】
前記制御手段は、前記第１のキャプションサービスデータを変換して得られるクローズドキャプションを前記映像信号の奇数フィールドに多重化される第１のクローズドキャプションに設定するとともに、前記第２のキャプションサービスデータを変換して得られるクローズドキャプションを前記映像信号の偶数フィールドに多重化される第３のクローズドキャプションのいずれかに設定する請求項２または請求項４に記載のディジタル放送／アナログ放送受信装置。
【発明の詳細な説明】
【０００１】
【発明の属する技術分野】
この発明は、ディジタル放送信号およびアナログ放送信号を受信して、映像信号および音声信号を出力するディジタル放送／アナログ放送受信装置、特にクローズドキャプションを映像信号に多重化させて出力するディジタル放送／アナログ放送受信装置に関するものである。
【０００２】
【従来の技術】
ディジタル放送／アナログ放送受信装置は、ディジタル放送信号を受信する回路と、アナログ放送信号を受信する回路を具備しており、選択されたチャンネルがディジタル放送ならば、ディジタル放送用回路を用いて、ディジタル放送信号を変換し、アナログ方式の映像信号、音声信号、およびクローズドキャプションを出力する。一方、選択されたチャンネルがアナログ放送ならば、アナログ放送信号用回路を用いて、アナログ方式の映像信号、音声信号、およびクローズドキャプションを出力する。
【０００３】
ところで、北米の地上波アナログテレビジョン放送（ＮＴＳＣ）は、クローズドキャプションを、放送局側で映像信号の２１本目の走査線に挿入することにより配信する。受信装置（アナログ放送受信機能を備えるアナログ放送受信装置やディジタル放送／アナログ放送受信装置）は、受信した映像信号に挿入されているクローズドキャプション情報を抽出して解析し、再度映像信号に挿入して表示装置に出力する。表示装置は、この映像信号に基づいて、番組映像とクローズドキャプションを画面に表示する。このように、映像信号の２１本目の走査線（ＬＩＮＥ２１）でクローズドキャプションを配信する方法は、ＥＩＡ−６０８で規定されている。
【０００４】
アナログ放送では、第１〜第４のクローズドキャプション（ＣＣ１〜ＣＣ４）として、最大４言語を使用することができる。ここで、クローズドキャプション１（ＣＣ１）には第１言語（主言語）、クローズドキャプション３（ＣＣ３）には第２言語（副言語）を割り当てるように設定されている。
【０００５】
一方、同じく北米の地上波ディジタル放送（ＡＴＳＣ）は、クローズドキャプションをＭＰＥＧストリーム中の「ｕｓｅｒｄａｔａ」というデータで配信している。このように配信されたクローズドキャプションを含むデータをＤＴＶＣＣと呼び、ＥＩＡ−７０８Ｂに規定されている。
【０００６】
ＤＴＶＣＣでは、第１〜第６のキャプションサービスデータ（ＣＳＤ１〜ＣＳＤ６）として、最大６言語を使用することができる。ここで、キャプションサービスデータ１（ＣＳＤ１）には第１言語（主言語）、キャプションサービスデータ２（ＣＳＤ２）には第２言語（副言語）を割り当てるように設定されている。
【０００７】
【発明が解決しようとする課題】
ところが、従来のディジタル放送／アナログ放送受信装置は、図５に示すように、選択したチャンネルがディジタル放送の場合、キャプションサービスデータ１〜６（ＣＳＤ１〜ＣＳＤ６）のいずれかを選択して、アナログ放送用のクローズドキャプション１（ＣＣ１）として出力する。このように、全てのキャプションサービスデータを一つのクローズドキャプションに対応させると、キャプションサービスデータを変更する時に、視聴者はディジタル放送／アナログ放送受信装置の操作手段（リモコン等）を操作しなければならない。
【０００８】
一方、選択したチャンネルがアナログ放送の場合、受信装置に入力されるクローズドキャプション１〜４（ＣＣ１〜ＣＣ４）は、そのまま、クローズドキャプション１〜４（ＣＣ１〜ＣＣ４）として出力される。このため、クローズドキャプションを変更する時に、視聴者は表示装置の操作手段を操作しなければならない。
【０００９】
このように、選択されたチャンネルがディジタル放送か、アナログ放送かによって、視聴者がクローズドキャプションを変更する場合に、操作する操作手段が異なってしまい、操作が煩わしくなってしまう。
【００１０】
従来からディジタル放送／アナログ放送受信装置は種々提案されており、▲１▼特開２００２−４４６１６号公報に開示された技術等がある。しかしながら、前述の問題を解決する方法は何ら開示されていない。
【００１１】
この発明の目的は、選択されたチャンネルがディジタル放送であっても、アナログ放送であっても、任意のクローズドキャプションを容易に選択することができるディジタル放送／アナログ放送受信装置を提供することにある。
【００１２】
【課題を解決するための手段】
この発明に示すディジタル放送／アナログ放送受信装置は、出力し得るクローズドキャプションの数に応じて、複数のキャプションサービスデータを抽出して変換し、複数のクローズドキャプションに設定する制御手段を備えたことを特徴としている。
【００１３】
この構成では、ディジタル放送信号に含まれる複数のキャプションサービスデータを抽出して変換し、それぞれのキャプションサービスデータに含まれるクローズドキャプションを、出力し得る複数のクローズドキャプションに任意に割り当てることで、一度設定しておけば、このディジタル放送／アナログ放送受信装置が映像信号等を出力する表示装置の操作手段を用いてクローズドキャプションおよびキャプションサービスデータを変更することができる。
【００１４】
また、この発明に示すディジタル放送／アナログ放送受信装置は、クローズドキャプションが配信されているキャプションサービスデータのみを抽出し、該キャプションサービスデータを変換して自動的にいずれかのクローズドキャプションに設定することを特徴としている。
【００１５】
この構成では、クローズドキャプションが配信されているキャプションサービスデータのみが、出力されるクローズドキャプションのいずれかに割り当てられるので、視聴者は、クローズドキャプションが無いキャプションサービスデータを選択することなく、いずれかのクローズドキャプションを必ず見ることができる。
【００１６】
また、この発明に示すディジタル放送／アナログ放送受信装置は、主言語となる第１のキャプションサービスデータと、副言語となる第２のキャプションサービスデータとをそれぞれクローズドキャプションに変換し、前記第１のキャプションサービスデータを変換して得られるクローズドキャプションを映像信号の奇数フィールドに多重化される第１、第２のクローズドキャプションのいずれかに設定するとともに、第２のキャプションサービスデータを変換して得られるクローズドキャプションを映像信号の偶数フィールドに多重化される第３、第４のクローズドキャプションのいずれかに設定することを特徴としている。
【００１７】
この構成では、ディジタル放送で配信される主言語である第１のキャプションサービスデータがアナログ方式の映像信号の奇数フィールドのクローズドキャプションに割り当てられ、副言語である第２のキャプションサービスデータがアナログ方式に映像信号の偶数フィールドのクローズドキャプションに割り当てられる。これにより、二つの言語がそれぞれ異なるフィールドに割り当てられるため、それぞれにできる限り多くのデータ（文字情報）がアナログ方式のクローズドキャプションとして配信される。
【００１８】
また、この発明に示すディジタル放送／アナログ放送受信装置は、第１のキャプションサービスデータを変換して得られるクローズドキャプションを映像信号の奇数フィールドに多重化される第１のクローズドキャプションに設定するとともに、第２のキャプションサービスデータを変換して得られるクローズドキャプションを映像信号の偶数フィールドに多重化される第３のクローズドキャプションに設定することを特徴としている。
【００１９】
この構成では、ディジタル放送で主言語となる第１のキャプションサービスデータとアナログ放送で主言語となる第１のクローズドキャプションとが対応し、ディジタル放送で副言語となる第２のキャプションサービスデータとアナログ放送で副言語となる第３のクローズドキャプションとが対応するので、視聴者は、クローズドキャプションおよびキャプションサービスデータを変更する際に、主言語、副言語を容易に認識することができる。
【００２０】
【発明の実施の形態】
本発明に係るディジタル放送／アナログ放送受信装置について、図を参照して説明する。
【００２１】
図１はディジタル放送／アナログ放送受信装置の主要部を示すブロック図である。
ディジタル放送／アナログ放送受信装置１０は、チューナ２、ディジタルデコーダ３、アナログデコーダ４、アナログエンコーダ５、本発明の制御手段に対応するＣＰＵ１、ＣＰＵ１に接続するメモリ６、および視聴者が設定変更等を行うための操作手段７を主要な構成要素としている。なお、チューナ２はディジタル放送信号受信部とアナログ放送信号受信部とを備えており、ディジタル放送信号とアナログ放送信号のどちらでも受信することができる。
【００２２】
ディジタル放送の番組を受信する場合、視聴者がリモコン等の操作手段７を用いて所望の番組が放送されているチャンネルを選択する操作を行うと、この選択信号が操作手段７からＣＰＵ１に伝送され、ＣＰＵ１は該当チャンネルを抽出するようにチューナ２を制御する。チューナ２は、選択番組を放送しているチャンネルのディジタル放送信号（アンテナ２０で受信）を抽出し、増幅してディジタルデコーダ３に出力する。ディジタルデコーダ３は、入力されたディジタル放送信号を、映像データ、音声データおよびキャプションサービスデータに分離して、映像データと音声データとをアナログエンコーダ５に出力する。アナログエンコーダ５は、入力された映像データ、音声データ、をアナログ方式の映像信号、音声信号に変換する。キャプションサービスデータはＣＰＵ１に入力され、クローズドキャプションに変換されてから、アナログエンコーダ５に入力される。そして、アナログエンコーダ５は、クローズドキャプションを映像信号に挿入し、この映像信号と音声信号とを表示装置３０に出力する。
【００２３】
一方、アナログ放送の番組を受信する場合、チューナ２は、選択番組を放送しているチャンネルのアナログ放送信号（アンテナ２０で受信）を抽出し、増幅してアナログデコーダ４に出力する。アナログデコーダ４は、入力されたアナログ放送信号を、映像信号、音声信号およびクローズドキャプション信号に分離して、映像信号と音声信号とをアナログエンコーダ５に出力する。アナログエンコーダ５は、入力された映像信号に、ＣＰＵ１を介して入力されたクローズドキャプションを挿入し、この映像信号と音声信号とを表示装置３０に出力する。
【００２４】
次に、ディジタル放送信号のキャプションサービスデータを、出力し得るアナログ方式のクローズドキャプションに割り当てる方法について、図を参照して説明する。
【００２５】
（第１の方法）
図２はディジタル放送を受信した場合のキャプションサービスデータ（ＣＳＤ）をクローズドキャプション（ＣＣ）に割り当てる方法を示すブロック図である。
【００２６】
ディジタルデコーダ３に入力されたディジタル放送信号は、映像データ、音声データ、および所定数（本実施形態では６つ）のキャプションサービスデータ（ＣＳＤ）に分離される。
【００２７】
キャプションサービスデータ１〜６（ＣＳＤ１〜ＣＳＤ６）はＣＰＵ１に入力され、ＣＳＤ１〜ＣＳＤ６のうち２つが選択される。例えば、図２に示すように、ＣＳＤ１とＣＳＤ２とが選択される。ＣＰＵ１は選択されたＣＳＤ１，ＣＳＤ２からクローズドキャプションを抽出し、字幕変換して、クローズドキャプションデータを生成する。生成されたクローズドキャプションデータは、アナログ方式のクローズドキャプション信号１（ＣＣ１）、およびクローズドキャプション信号３（ＣＣ３）として、表示装置３０に出力される。表示装置３０は、これらクローズドキャプションＣＣ１，ＣＣ３のうち、視聴者が選択したクローズドキャプションを画面に表示する。
【００２８】
これにより、視聴者は表示装置３０の操作手段を操作して、クローズドキャプションを変更することで、実質的にキャプションサービスデータを変更することができる。
【００２９】
また、ディジタル放送用の主言語となるキャプションサービスデータ１（ＣＳＤ１）を、アナログ放送用の主言語となるクローズドキャプション１（ＣＣ１）に割り当て、ディジタル放送用の副言語となるキャプションサービスデータ２（ＣＳＤ２）をアナログ放送用の副言語となるクローズドキャプション３（ＣＣ３）に割り当てることで、ディジタル放送とアナログ放送とで、主言語、副言語等の言語設定を一致させることができる。これにより、視聴者は、選択しているチャンネルの放送がディジタル放送であるか、アナログ放送であるかによらず、主言語および副言語等の言語を、間違えることなく設定することができる。
【００３０】
また、アナログ放送信号の奇数フィールドおよび偶数フィールドを構成するそれぞれ１つのクローズドキャプションのみに、各キャプションサービスデータを挿入することで、各フィールドで伝送できる限りのデータ量（文字情報）のクローズドキャプションを出力することができる。これにより、ディジタル放送用で情報量が多いキャプションサービスデータに基づいてクローズドキャプションを生成する場合にも、できる限り多くの情報量をキャプションサービスデータからクローズドキャプションに反映することができる。
【００３１】
（第２の方法）
図３はディジタル放送を受信した場合のキャプションサービスデータを自動的にクローズドキャプションに割り当てる方法を示すブロック図である。
【００３２】
ディジタルデコーダ３に入力されたディジタル放送信号は、映像データ、音声データ、および６つのキャプションサービスデータ（ＣＳＤ１〜６）に分離される。
【００３３】
映像データおよび音声データから分離されたＣＳＤ１〜６はＣＰＵ１に入力され、ＣＰＵ１は入力されたＣＳＤ１〜６において、実際にクローズドキャプション等が配信されているかどうかを確認し、配信されているキャプションサービスデータのみを抽出する。例えば、図３に示すようにＣＳＤ１とＣＳＤ３のみが実際に情報を配信しており、ＣＳＤ２が情報を配信していなかったら、ＣＰＵ１は、ＣＳＤ１とＣＳＤ３とを抽出し、それぞれに含まれるクローズドキャプションを字幕変換して、クローズドキャプションデータを生成する。クローズドキャプションデータはアナログエンコーダに入力されて、アナログエンコーダで映像信号のＬＩＮＥ２１に挿入され、表示装置３０に出力される。ここで、クローズドキャプションデータは、アナログ方式のクローズドキャプション１（ＣＣ１）、およびクローズドキャプション３（ＣＣ３）として出力される。
【００３４】
表示装置３０は、これらクローズドキャプションＣＣ１とＣＣ３とのうち、視聴者が選択したクローズドキャプションを画面に表示する。
【００３５】
視聴者は表示装置３０の操作手段を操作して、クローズドキャプションを変更することで、実質的にキャプションサービスデータを変更することができる。また、ＣＰＵ１で情報を配信しているキャプションサービスデータのみが抽出されているので、視聴者は、どのクローズドキャプションを選択しても、必ずいずれかの言語のクローズドキャプションを見ることができる。
【００３６】
この一連の動作について、図４に示すフローチャートを用いて説明する。
【００３７】
視聴者がチャンネルを選局すると、選択した番組にどのキャプションサービス（ＣＳＤ）が存在するかを確認する（ｓ１）。その確認方法は、初期値として、キャプションサービスデータ番号ｉ＝１、仮のクローズドキャプション番号ｎ＝１、仮の第１のクローズドキャプションを示す引数Ｓ１＝０、仮の第２のクローズドキャプションを示す引数Ｓ２＝０とする（ｓ２）。まず、キャプションサービスデータ１（ＣＳＤ１）が存在するかを確認し、存在すれば、引数Ｓ１＝１と更新する（ｓ３→ｓ４）。その後、仮のクローズドキャプション番号とキャプションサービスデータ番号とを更新して、次のキャプションサービスデータ２（ＣＳＤ２）が存在するかどうかを確認する（ｓ５→ｓ６→ｓ７→ｓ８→ｓ３）。次に、キャプションサービスデータ２（ＣＳＤ２）は存在しない（実際にクローズドキャプション等の各情報が配信されていない）場合、引数ｉを１増やし、次のキャプションサービスデータ３（ＣＳＤ３）の存在確認を行う（ｓ３→ｓ７→ｓ８→ｓ３）。次に、キャプションサービスデータ３（ＣＳＤ３）は存在するので、引数Ｓ２＝３と更新する（ｓ３→ｓ４）。引数Ｓ１，Ｓ２が確定すると（ｓ５）、クローズドキャプション１（ＣＣ１）に引数Ｓ１を割り当て、キャプションサービスデータ１（ＣＳＤ１）をクローズドキャプション１（ＣＣ１）に設定する（ｓ９→ｓ１０）。そして、クローズドキャプション３（ＣＣ３）に引数Ｓ２を割り当て、キャプションサービスデータ３（ＣＳＤ３）をクローズドキャプション３（ＣＣ３）に設定する（ｓ１２→ｓ１３）。
【００３８】
ここで、例えば別例として、キャプションサービスデータ１（ＣＳＤ１）のみが存在する場合には、キャプションサービスデータ１をクローズドキャプション１（ＣＣ１）に設定して（ｓ９→ｓ１０）、クローズドキャプション３（ＣＣ３）にはなにも設定しない（ｓ１２→ｓ１４）。また、キャプションサービスが全く存在しない場合には、クローズドキャプション１（ＣＣ１）、クローズドキャプション３（ＣＣ３）にはなにも設定しない（ｓ９→ｓ１１→ｓ１２→ｓ１４）。
【００３９】
これらの動作は現在選択している番組が終わるまでの間で一定時間待機し（ｓ１５）、番組が変更されると、再度前述と同じ動作を繰り返す。また、この動作はチャンネルが変更されるか、または、装置電源をＯＦＦにするまで継続される。
【００４０】
なお、前述の第１の方法では、クローズドキャプション１（ＣＣ１）にキャプションサービスデータ１（ＣＳＤ１）を割り当て、クローズドキャプション３（ＣＣ３）にキャプションサービスデータ２（ＣＳＤ２）を割り当てたが、視聴者は、どのクローズドキャプション（ＣＣ１〜ＣＣ４）にどのキャプションサービスデータ（ＣＳＤ１〜６）を割り当てるかを任意に設定することができる。
【００４１】
また、前述の第２の方法では、実際にクローズドキャプション等が配信されているキャプションサービスデータがキャプションサービス番号の小さい順に２つ見つかれば処理を終了している。しかし、使用するクローズドキャプションの数に応じて、抽出し、割り当てを行うキャプションサービスデータの数を変えてもよい。
【００４２】
また、実際に配信されているキャプションサービスデータを抽出した後、視聴者の必要に応じて、実際に配信されている各キャプションサービスデータを各クローズドキャプションに任意に割り当ててもよい。
【００４３】
【発明の効果】
この発明に示すディジタル放送／アナログ放送受信装置によれば、ディジタル放送信号に含まれる複数のキャプションサービスデータを抽出して変換し、それぞれのキャプションサービスデータに含まれるクローズドキャプションを、出力し得るクローズドキャプションの数に応じて、任意に割り当てることで、一度設定しておけば、このディジタル放送／アナログ放送受信装置がクローズドキャプションを多重化させた映像信号を出力する表示装置の操作手段を用いてキャプションサービスデータを変更することができる。これにより、視聴者は、選択しているチャンネルがディジタル放送であるかアナログ放送であるかに関わらず、容易にクローズドキャプションを変更することができる。
【００４４】
また、この発明に示すディジタル放送／アナログ放送受信装置によれば、クローズドキャプションが配信されているキャプションサービスデータのみが、出力され得るクローズドキャプションのいずれかに割り当てられるので、視聴者は、クローズドキャプションが無いキャプションサービスデータを選択することなく、いずれかのクローズドキャプションを必ず見ることができる。
【００４５】
また、この発明に示すディジタル放送／アナログ放送受信装置によれば、ディジタル放送で配信される、主言語である第１のキャプションサービスデータをアナログ方式の映像信号の奇数フィールドのクローズドキャプションに割り当て、副言語である第２のキャプションサービスデータをアナログ方式に映像信号の偶数フィールドのクローズドキャプションに割り当てることで、二つの言語がそれぞれ異なるフィールドに割り当てられるため、それぞれにできる限り多くのデータ（文字情報）をアナログ方式のクローズドキャプションとして配信することができる。
【００４６】
また、この発明に示すディジタル放送／アナログ放送受信装置によれば、ディジタル放送で主言語となる第１のキャプションサービスデータとアナログ放送で主言語となる第１のクローズドキャプションとが対応し、ディジタル放送で副言語となる第２のキャプションサービスデータとアナログ放送で副言語となる第３のクローズドキャプションとが対応するので、視聴者はキャプションサービスデータを変更する際に、主言語、副言語を容易に認識することができる。
【図面の簡単な説明】
【図１】本発明に係るディジタル放送／アナログ放送受信装置の主要部を示すブロック図
【図２】ディジタル放送を受信した場合のキャプションサービスデータをクローズドキャプションに割り当てる方法を示すブロック図
【図３】ディジタル放送を受信した場合のキャプションサービスデータを自動的にクローズドキャプションに割り当てる方法を示すブロック図
【図４】実際に情報が配信されているキャプションサービスを抽出して、クローズドキャプションに割り当てる方法を示すフローチャート
【図５】従来のディジタル放送／アナログ放送受信装置において、ディジタル放送を受信した場合のキャプションサービスデータをクローズドキャプションに割り当てる方法を示すブロック図
【図６】従来のディジタル放送／アナログ放送受信装置において、アナログ放送を受信した場合のクローズドキャプションを割り当てる方法を示すブロック図
【符号の説明】
１０−ディジタル放送／アナログ放送受信装置
１−ＣＰＵ
２−チューナ
３−ディジタルデコーダ
４−アナログデコーダ
５−アナログエンコーダ
６−メモリ
７−操作手段
２０−アンテナ
３０−表示装置
ＣＳＤ１〜６−キャプションサービスデータ
ＣＣ１〜ＣＣ４−クローズドキャプション
【図１】
2004080676.tif 000003
【図２】
2004080676.tif 000004
【図３】
2004080676.tif 000005
【図４】
2004080676.tif 000006
【図５】
2004080676.tif 000007
【図６】
2004080676.tif 000008